(57)【要約】【課題】高耐久性及び薄型化を兼ね備えた携帯端末用のバッテリーを提供する。【解決手段】バッテリーセル５１の端面（セル側端面）５１ａと電極部５２の端面（電極側端面）５２ａとが対向した状態で電気的に接続されるバッテリーセル５１と電極部５２とに跨るように補強用シート６０として表面側シート６１及び裏面側シート６２が貼り付けられる。【選択図】図８
2020057496.tif 000002
【特許請求の範囲】
【請求項１】
携帯端末の電力供給源となるバッテリーであって、
バッテリーセルと、
前記携帯端末のバッテリー収容部に当該バッテリーが収容された際に前記バッテリー収容部の端末側電極に電気的に接続される電極が設けられる電極部と、
前記バッテリーセルのセル側端面と前記電極部の電極側端面とが対向した状態で電気的に接続される前記バッテリーセルと前記電極部とに跨って貼り付けられる補強用シートと、
を備えることを特徴とするバッテリー。
【請求項２】
前記バッテリーセルは、前記セル側端面に連なるセル側表面及びセル側裏面が対向するように平板状に形成され、
前記電極部は、前記電極側端面にて前記セル側端面に対向した状態で、前記電極側端面に連なるように対向する電極側表面及び電極側裏面が、前記セル側表面及び前記セル側裏面に対して面一となるように形成され、
前記補強用シートは、前記セル側表面から前記電極側表面にかけて貼り付けられるとともに、前記セル側裏面から前記電極側裏面にかけて貼り付けられることを特徴とする請求項１に記載のバッテリー。
【請求項３】
前記補強用シートは、前記セル側表面の中央を介して対向する一対の延出部が前記電極部から離れる方向にそれぞれ延出するように形成されることを特徴とする請求項２に記載のバッテリー。
【請求項４】
前記補強用シートは、前記セル側裏面の中央を介して対向する一対の延出部が前記電極部から離れる方向にそれぞれ延出するように形成されることを特徴とする請求項２又は３に記載のバッテリー。
【発明の詳細な説明】
【技術分野】
【０００１】
本発明は、携帯端末の電力供給源となるバッテリーに関するものである。
【背景技術】
【０００２】
従来、携帯端末の電力供給源となるバッテリーとして、例えば、下記特許文献１に開示されるバッテリーが知られている。このバッテリーは、携帯電話機用として使用されるもので、バッテリーセルに対して回路基板やコネクタ等を接続した状態にて樹脂モールドで一体成形されることで、バッテリーのコンパクト化が図られている。
【先行技術文献】
【特許文献】
【０００３】
【特許文献１】特開２００２−２６０６１５号公報
【発明の概要】
【発明が解決しようとする課題】
【０００４】
ところで、バッテリーに関して、携帯電話機などの民生用の携帯端末では薄型化（小型化）が落下等に対する耐久性よりも重視される一方で、業務用の携帯端末では耐久性が薄型化よりも重視されていたため、バッテリーセルや電極部等を樹脂ケースで保護するように形成されるバッテリーが採用されていた。
【０００５】
しかしながら、近年では、業務用の携帯端末であっても、薄型化（小型化）の要求が高まっており、耐久性の向上を図りつつ薄型化を図り得る携帯端末を実現するため、その携帯端末に採用されるバッテリーにも耐久性の向上及び薄型化の双方が要求されている。このような要求に対して、上述のように、バッテリーセルや電極部等を樹脂ケースで保護する構成では、薄型化を図るために樹脂ケースの厚みを薄くすると、強度不足になり耐久性が低下してしまうという問題がある。
【０００６】
本発明は、上述した課題を解決するためになされたものであり、その目的とするところは、耐久性の向上及び薄型化を図り得る携帯端末用のバッテリーを提供することにある。
【課題を解決するための手段】
【０００７】
上記目的を達成するため、特許請求の範囲の請求項１に記載の発明は、
携帯端末（１０）の電力供給源となるバッテリー（５０）であって、
バッテリーセル（５１）と、
前記携帯端末のバッテリー収容部（１４）に当該バッテリーが収容された際に前記バッテリー収容部の端末側電極に電気的に接続される電極（５２ｄ）が設けられる電極部（５２）と、
前記バッテリーセルのセル側端面（５１ａ）と前記電極部の電極側端面（５２ａ）とが対向した状態で電気的に接続される前記バッテリーセルと前記電極部とに跨って貼り付けられる補強用シート（６０，６１，６２）と、
を備えることを特徴とする。
なお、上記各括弧内の符号は、後述する実施形態に記載の具体的手段との対応関係を示すものである。
【発明の効果】
【０００８】
請求項１の発明では、バッテリーセルのセル側端面と電極部の電極側端面とが対向した状態で電気的に接続されるバッテリーセルと電極部とに跨るように補強用シートが貼り付けられる。これにより、バッテリーセルと電極部とに跨るように貼り付けられる補強用シートが、バッテリーセルと電極部との接続部を覆うことでこの接続部に関して補強手段として機能する。特に、補強手段を補強用シートにより実現するため、従来の補強手段である樹脂ケースと比較して、厚みが薄くなり、バッテリーの薄型化を図ることができる。しがたって、耐久性の向上及び薄型化を図り得る携帯端末用のバッテリーを実現することができる。
【０００９】
請求項２の発明では、バッテリーセルは、セル側端面に連なるセル側表面及びセル側裏面が対向するように平板状に形成され、電極部は、セル側端面と電極側端面とが対向した状態で、電極側端面に連なるように対向する電極側表面及び電極側裏面が、セル側表面及びセル側裏面に対して面一となるように形成される。そして、補強用シートは、セル側表面から電極側表面にかけて貼り付けられるとともに、セル側裏面から電極側裏面にかけて貼り付けられる。このように、補強用シートがバッテリーセル及び電極部に対して表面と裏面との双方に貼り付けられるので、バッテリーの耐久性をより向上させることができる。
【００１０】
請求項３の発明では、補強用シートは、セル側表面の中央を介して対向する一対の延出部が電極部から離れる方向にそれぞれ延出するように形成される。これにより、経年劣化等のためにバッテリーセルにおいてセル側表面の中央が膨張したとしても、補強用シートが貼り付けられていない部分の厚みが増すだけであり、補強用シートの厚みを超えて膨張しない限り、バッテリーの最厚部の厚さ（補強用シートが貼り付けられた部分の厚さ）が変わることも無い。したがって、耐久性の向上及び薄型化を図りつつ、バッテリーセルにおけるセル側表面の中央の膨張を許容可能なバッテリーを実現することができる。
【００１１】
請求項４の発明では、補強用シートは、セル側裏面の中央を介して対向する一対の延出部が電極部から離れる方向にそれぞれ延出するように形成される。これにより、経年劣化等のためにバッテリーセルにおいてセル側裏面の中央が膨張したとしても、補強用シートが貼り付けられていない部分の厚みが増すだけであり、補強用シートの厚みを超えて膨張しない限り、バッテリーの最厚部の厚さ（補強用シートが貼り付けられた部分の厚さ）が変わることも無い。したがって、耐久性の向上及び薄型化を図りつつ、バッテリーセルにおけるセル側裏面の中央の膨張を許容可能なバッテリーを実現することができる。
【図面の簡単な説明】
【００１２】
【図１】第１実施形態に係るバッテリーが搭載された携帯端末を示す斜視図である。
【図２】図１の携帯端末を背面側から見た斜視図である。
【図３】図１の携帯端末の平面図である。
【図４】図１の携帯端末からカバーを取り外して拡大した状態を示す一部背面図である。
【図５】図５（Ａ）は、図１の携帯端末の電気的構成を例示するブロック図であり、図５（Ｂ）は、図５（Ａ）の無線タグ処理部の電気的構成を概略的に例示するブロック図であり、図５（Ｃ）は、図５（Ａ）の情報コード読取部の電気的構成を概略的に例示するブロック図である。
【図６】第１実施形態に係るバッテリーを示す斜視図である。
【図７】図７（Ａ）は、図６のバッテリーの平面図であり、図７（Ｂ）は、図６のバッテリーの側面図であり、図７（Ｃ）は、図６のバッテリーの正面図である。
【図８】図６のバッテリーの背面図である。
【図９】図７（Ｃ）のＸ−Ｘ断面の電極部近傍を拡大して示す断面図である。
【図１０】図６のバッテリーの分解斜視図である。
【発明を実施するための形態】
【００１３】
［第１実施形態］
以下、本発明の第１実施形態に係る携帯端末について、図面を参照して説明する。
本実施形態に係る携帯端末１０は、読取作業者によって携帯されて様々な場所で用いられる携帯型の情報読取装置として構成されており、バーコードや二次元コードなどの情報コードを光学的に読み取る情報コードリーダとしての機能に加えて、アンテナを介して送受信される電波を媒介としてＲＦＩＤタグなどの無線タグに記憶されている情報を読み書きする機能を兼ね備え、読み取りを二方式で行いうる構成となっている。
【００１４】
図１〜図３に示すように、携帯端末１０の外郭を構成する筐体１１は、略薄板状に形成されており、その表面１１ａには、狭額縁化（狭ベゼル化）されるように大型化された表示画面２４ａが配置されている。また、図２に示すように、筐体１１の裏面１１ｂの長手方向一端側には、情報コードＣからの反射光を筐体１１内に取り込むための読取口１２が設けられ、長手方向他端側には、後述する収容口１５を閉塞するカバー（電池蓋）１３が組み付けられている。
【００１５】
筐体１１内には、携帯端末１０全体を制御する制御部２１が設けられている（図５（Ａ）参照）。この制御部２１は、マイコンを主体として構成されるものであり、ＣＰＵ、システムバス、入出力インタフェース等を有し、記憶部２２とともに情報処理装置を構成している。記憶部２２には、情報コードＣを光学的に読み取る読取処理を実行するためのプログラムや無線タグＴを非接触通信にて読み取る読取処理を実行するためのプログラム等が制御部２１により実行可能に予め格納されている。
【００１６】
また、図５（Ａ）に示すように、制御部２１には、ＬＥＤ２３、タッチパネル２４、操作部２５、バイブレータ２６、ブザー２７、通信部２８などが接続されている。タッチパネル２４は、公知のタッチパネル型の表示装置として構成されており、液晶表示器等の公知の表示デバイスとして構成される表示部と、この表示部の表示画面２４ａに重ねられて当該表示画面２４ａに対して押圧操作（接触）している範囲を検出可能な検出部として機能する透明性の操作パネルとを備えている。このタッチパネル２４は、制御部２１によって表示部の表示内容が制御される。操作部２５は、上記操作パネルと筐体１１の側面等に設けられる複数のキーとを備えるように構成されることで、タッチパネル２４の表示画面２４ａに対する押圧操作（タッチ範囲等）やキー操作に応じた信号を制御部２１に出力するように構成される。また、ＬＥＤ２３、バイブレータ２６及びブザー２７は、制御部２１によって制御される構成をなしており、それぞれ、制御部２１からの指令を受けて動作する。通信部２８は、サーバ等の外部機器との間で有線通信又は無線通信によりデータ通信を行うためのインタフェースとして構成されており、制御部２１と協働して通信処理を行う構成をなしている。
【００１７】
また、筐体１１内には、電源部２９が設けられている。この電源部２９は、公知の電源回路などによって構成されており、筐体１１内に設けられるバッテリー収容部１４に電力供給源として収容されたバッテリー５０を利用して、制御部２１や接続された各モジュールを含めた各種電気部品に対して電力を供給するように構成されている。特に、図４に示すように、バッテリー収容部１４は、バッテリー５０の着脱を容易にするため、筐体１１の底面側に形成される収容口１５を介して、底面側から挿入されるバッテリー５０の案内用のガイド（図示略）を有するように形成されている。すなわち、バッテリー収容部１４は、バッテリー５０の着脱方向が筐体１１の長手方向（図４の矢印Ｆ参照）となるように形成されている。バッテリー５０の詳細形状については後述する。
【００１８】
また、携帯端末１０は、制御部２１により制御されて外部の情報を読み取り可能な情報読取部として機能する無線タグ処理部３０及び情報コード読取部４０を備えている。
【００１９】
まず、無線タグ処理部３０について、図５（Ｂ）を用いて説明する。
無線タグ処理部３０は、アンテナ３４及び制御部２１と協働して無線タグＴとの間で電磁波による通信を行ない、無線タグＴに記憶されるデータの読取り、或いは無線タグＴに対するデータの書込みを行なうように機能するものである。この無線タグ処理部３０は、公知の電波方式で伝送を行う回路として構成されており、図５（Ｂ）にて概略的に示すように、送信回路３１、受信回路３２、整合回路３３などを有している。
【００２０】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００２１】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００２２】
次に、情報コード読取部４０について、図５（Ｃ）を用いて説明する。
情報コード読取部４０は、図５（Ｃ）に示すように、ＣＣＤエリアセンサからなる受光センサ４３、結像レンズ４２、複数個のＬＥＤやレンズ等から構成される照明部４１などを備えた構成をなしており、制御部２１と協働して読取対象Ｒに付された情報コードＣ（バーコードや二次元コード）を読み取るように機能する。
【００２３】
この情報コード読取部４０によって読み取りを行う場合、まず、制御部２１によって指令を受けた照明部４１から照明光Ｌｆが出射され、この照明光Ｌｆが読取口１２を通って読取対象Ｒに照射される。そして、照明光Ｌｆが情報コードＣにて反射した反射光Ｌｒは読取口１２を通って装置内に取り込まれ、結像レンズ４２を通って受光センサ４３に受光される。読取口１２と受光センサ４３との間に配される結像レンズ４２は、情報コードＣの像を受光センサ４３上に結像させる構成をなしており、受光センサ４３はこの情報コードＣの像に応じた受光信号を出力する。受光センサ４３から出力された受光信号は、画像データとして記憶部２２に記憶され、情報コードＣに記録された情報を取得するためのデコード処理に用いられるようになっている。なお、情報コード読取部４０には、受光センサ４３からの信号を増幅する増幅回路や、その増幅された信号をデジタル信号に変換するＡＤ変換回路等が設けられているがこれらの回路については図示を省略している。
【００２４】
次に、本実施形態に係るバッテリー５０について、図面を参照して詳述する。
図６〜図９に示すように、バッテリー５０は、バッテリーセル５１及び電極部５２と、これらバッテリーセル５１と電極部５２とに跨って貼り付けられる補強用シート６０とを備えている。
【００２５】
バッテリーセル５１は、例えば、リチウムイオンバッテリーからなり、図９に示すように、端面５１ａにて電極部５２に対向し、この端面５１ａに連なる略方形状の表面５１ｂ及び裏面５１ｃが対向するように薄肉平板状に形成されている。なお、端面５１ａは、「セル側端面」の一例に相当し、表面５１ｂ及び裏面５１ｃは、「セル側表面」及び「セル側裏面」の一例に相当し得る。
【００２６】
電極部５２は、図９に示すように、端面５２ａにてバッテリーセル５１の端面５１ａに対向した状態で、端面５２ａに連なるように対向する表面５２ｂ及び裏面５２ｃが、バッテリーセル５１の表面５１ｂ及び裏面５１ｃに対して面一となるように形成されている。電極部５２は、端面５２ａ側となる基部の幅がバッテリーセル５１の幅とほぼ同じであって、端面５２ａから離れた部位となる先端部の幅が基部よりも狭くなるように形成されている。先端部には、バッテリー収容部１４に当該バッテリー５０が収容された際に、バッテリー収容部１４内に設けられる端末側電極（図示略）に電気的に接続される複数の電極５２ｄが設けられている。各電極５２ｄは、先端部の表面５２ｂ側にそれぞれ露出するように配置されている。また、端面５２ａには、図９に示すように、各電極５２ｄをバッテリーセル５１の電極に接続するための基板５２ｅが配置されている。なお、端面５２ａは、「電極側端面」の一例に相当し、表面５２ｂ及び裏面５２ｃは、「電極側表面」及び「電極側裏面」の一例に相当し得る。
【００２７】
このように構成されるバッテリーセル５１及び電極部５２は、端面５１ａと端面５２ａとを対向させた状態でバッテリーセル５１の各電極が基板５２ｅにはんだ接合された後、保護フィルム５３で覆われることで、仮固定状態となる。特に、保護フィルム５３は、図１０に示すように、バッテリーセル５１及び電極部５２に対して、後述するように補強用シート６０が貼り付けられる位置を除き、バッテリーセル５１及び電極部５２の側面等に跨るように配置される。
【００２８】
補強用シート６０は、例えば、ポリカーボネート樹脂に接着面を形成したシート（例えば、厚み０．４ｍｍ程度）として構成されており、表面側シート６１と裏面側シート６２とを備えている。
【００２９】
図６及び図７等に示すように、表面側シート６１は、一対の延出部６１ａのそれぞれの一端側が連結部６１ｂにより連結されるように略Ｕ字状に形成されている。連結部６１ｂは、保護フィルム５３により覆われた範囲を除いて、バッテリーセル５１における表面５１ｂの端面５１ａ側から電極部５２における基部の表面５２ｂに跨るように貼り付けられることで、バッテリーセル５１及び電極部５２の接続部の表面側を補強するように機能する（図１０参照）。特に、連結部６１ｂは、電極部５２側が当該電極部５２の先端部に近づくほど広がるように形成されている。
【００３０】
一対の延出部６１ａは、保護フィルム５３により覆われた範囲を除いて、バッテリーセル５１における表面５１ｂの側縁に沿って延出するように貼り付けられることで、表面５１ｂの中央を介して対向するように形成されている。すなわち、表面側シート６１は、バッテリーセル５１における表面５１ｂの中央を介して対向する一対の延出部６１ａが電極部５２から離れる方向（バッテリーセル５１の長手方向）にそれぞれ延出するように形成される。
【００３１】
図８及び図１０等に示すように、裏面側シート６２は、保護フィルム５３により覆われた範囲を除いて、バッテリーセル５１における裏面５１ｃの端面５１ａ側から電極部５２の裏面５２ｃに跨るように貼り付けられることで、バッテリーセル５１及び電極部５２の接続部の裏面側を補強するように機能する。特に、裏面側シート６２は、凸部６２ａにて、電極部５２における先端部の裏面５２ｃまで覆うように形成され、凸部６２ａを除いた電極部５２側の部位が当該電極部５２の先端部に近づくほど広がるように形成されている。すなわち、裏面側シート６２は、凸部６２ａを除いた部位が表面側シート６１の連結部６１ｂとほぼ同じ形状となるように形成されている。
【００３２】
以上説明したように、本実施形態に係るバッテリー５０では、バッテリーセル５１の端面（セル側端面）５１ａと電極部５２の端面（電極側端面）５２ａとが対向した状態で電気的に接続されるバッテリーセル５１と電極部５２とに跨るように補強用シート６０が貼り付けられる。
【００３３】
これにより、バッテリーセル５１と電極部５２とに跨るように貼り付けられる補強用シート６０が、バッテリーセル５１と電極部５２との接続部を覆うことでこの接続部に関して補強手段として機能する。特に、補強手段を補強用シート６０により実現するため、従来の補強手段である樹脂ケースと比較して、厚みが薄くなり、バッテリー５０の薄型化を図ることができる。しがたって、耐久性の向上及び薄型化を図り得る携帯端末用のバッテリー５０を実現することができる。
【００３４】
さらに、バッテリーセル５１は、端面５１ａに連なる表面５１ｂ及び裏面５１ｃが対向するように平板状に形成され、電極部５２は、端面５１ａと端面５２ａとが対向した状態で、端面５２ａに連なるように対向する表面５２ｂ及び裏面５２ｃが、表面５１ｂ及び裏面５２ｃに対して面一となるように形成される。そして、補強用シート６０の表面側シート６１は、表面５１ｂから表面５２ｂにかけて貼り付けられるとともに、裏面側シート６２は、裏面５１ｃから裏面５２ｃにかけて貼り付けられる。このように、補強用シート６０の表面側シート６１及び裏面側シート６２がバッテリーセル５１及び電極部５２に対して表面と裏面との双方に貼り付けられるので、バッテリー５０の耐久性をより向上させることができる。
【００３５】
特に、表面側シート６１は、表面５１ｂの中央を介して対向する一対の延出部６１ａが電極部５２から離れる方向にそれぞれ延出するように形成される。すなわち、一対の延出部６１ａは、バッテリーセル５１の長手方向であって、バッテリー５０の着脱方向（図４の矢印Ｆ参照）に沿って延出するように形成される。
【００３６】
これにより、経年劣化等のためにバッテリーセル５１において表面５１ｂの中央が膨張したとしても、表面側シート６１が貼り付けられていない部分の厚みが増すだけであり、表面側シート６１の厚みを超えて膨張しない限り、バッテリー５０の最厚部の厚さ（補強用シート６０が貼り付けられた部分の厚さ）が変わることも無い。したがって、耐久性の向上及び薄型化を図りつつ、バッテリーセル５１における表面５１ｂの中央の膨張を許容可能なバッテリー５０を実現することができる。
【００３７】
なお、本実施形態では、裏面側シート６２は、バッテリーセル５１の裏面側に貼り付けられるラベルを避けるため、表面側シート６１に対して一対の延出部６１ａに相当する部位を除くように形成されている。これに対して、裏面５１ｃの中央に貼り付けられるラベルが小さい場合等には、裏面側シート６２に対して表面側シート６１と同じような一対の延出部が設けられてもよい。すなわち、裏面側シート６２は、裏面５１ｃの中央を介して対向する一対の延出部が電極部５２から離れる方向にそれぞれ延出するように形成されてもよい。
【００３８】
このようにしても、経年劣化等のためにバッテリーセル５１において裏面５１ｃの中央が膨張したとしても、裏面側シート６２が貼り付けられていない部分の厚みが増すだけであり、裏面側シート６２の厚みを超えて膨張しない限り、バッテリー５０の最厚部の厚さ（補強用シート６０が貼り付けられた部分の厚さ）が変わることも無い。したがって、耐久性の向上及び薄型化を図りつつ、バッテリーセル５１における裏面５１ｃの中央の膨張を許容可能なバッテリー５０を実現することができる。
【００３９】
特に、表面側シート６１及び裏面側シート６２のそれぞれにおいて一対の延出部が端面５１ａから離れた逆側の端面近傍まで延出することで、バッテリー５０の厚さが、表面側シート６１と裏面側シート６２との距離となって、長手方向に沿ってほぼ一定となる。これにより、バッテリー収容部１４内に設けられるバッテリー５０の着脱時のガイドとの関係において、バッテリー５０とガイドとの隙間を小さくでき、バッテリー収容部１４内でのバッテリー５０のがたつきを小さくすることができる。例えば、バッテリー５０の長手方向他端側での厚さが長手方向一端側よりも薄くなっていると、この長手方向他端側とガイドとの隙間が大きくなり、バッテリー収容部１４内でのバッテリー５０のがたつきが大きくなってしまうからである。
【００４０】
なお、本発明は上記実施形態等に限定されるものではなく、例えば、以下のように具体化してもよい。
（１）表面側シート６１及び裏面側シート６２は、厚み０．４ｍｍ程度のポリカーボネート樹脂により形成されることに限らず、例えば、０．３ｍｍ以上０．５ｍｍ以下程度の樹脂シートにより形成されてもよい。また、表面側シート６１及び裏面側シート６２は、樹脂シートにより形成されることに限らず、例えば、ステンレス鋼等の薄肉の金属シート（金属板）により形成されてもよい。
【００４１】
（２）表面側シート６１は、裏面側シート６２と同様に、一対の延出部６１ａを除くように形成されてもよい。また、表面側シート６１は、バッテリーセル５１における表面５１ｂのほぼ全面を含めて貼り付けられるように形成されてもよい。同様に、裏面側シート６２は、バッテリーセル５１における裏面５１ｃのほぼ全面を含めて貼り付けられるように形成されてもよい。
【００４２】
（３）本発明に係るバッテリー５０は、上述した情報コードリーダ及び無線タグリーダライタの双方の機能を兼備する携帯端末の電力供給源として採用されることに限らず、例えば、情報コードリーダ専用の携帯端末の電力供給源として採用されてもよいし、さらに他の機能を有する携帯端末や据え置き型の端末等の電力供給源として採用されてもよい。
【符号の説明】
【００４３】
１０…携帯端末
１４…バッテリー収容部
２９…電源部
５０…バッテリー
５１…バッテリーセル
５１ａ…端面（セル側端面）
５１ｂ…表面（セル側表面）
５１ｃ…裏面（セル側裏面）
５２…電極部
５２ａ…端面（電極側端面）
５２ｂ…表面（電極側表面）
５２ｃ…裏面（電極側裏面）
５２ｄ…電極
５３…保護フィルム
６０…補強用シート
６１…表面側シート
６１ａ…延出部
６１ｂ…連結部
６２…裏面側シート
【図１】
2020057496.tif 000003
【図２】
2020057496.tif 000004
【図３】
2020057496.tif 000005
【図４】
2020057496.tif 000006
【図５】
2020057496.tif 000007
【図６】
2020057496.tif 000008
【図７】
2020057496.tif 000009
【図８】
2020057496.tif 000010
【図９】
2020057496.tif 000011
【図１０】
2020057496.tif 000012